(57)【特許請求の範囲】
【請求項１】
映像信号を処理する信号処理回路と、該信号処理回路からの映像信号に基づき映像を表示するＬＣＤと、該ＬＣＤのバックライトに交流電源を供給するインバータ回路とを備えたモニタ装置において、
前記信号処理回路と電源制御回路に電源を供給する第１の電源回路と、
ＬＣＤ駆動回路の駆動を開始させる第２の電源回路と、
前記ＬＣＤの駆動を開始させる第３の電源回路と、
前記インバータ回路に電源を供給する第４の電源回路と、
前記電源制御回路の電圧指令に基づいて、第４の電源回路が出力する電圧を制御する電圧制御回路とを設け、
前記第１の電源回路によって駆動された前記電源制御回路は、所定時間経過後にバックライト点灯電圧指令値を電圧制御回路に出力して、第４の電源回路がバックライト点灯電圧をインバータ回路に出力するように制御させ、
前記バックライト電圧指令値を出力してから一定時間後に、前記第２の電源回路と前記第３の電源回路に、電圧出力指令を出力することを特徴とするモニタ装置。
【請求項２】
映像信号を処理する信号処理回路と、該信号処理回路からの映像信号に基づき映像を表示する表示装置と、該表示装置のバックライトに交流電源を供給するインバータ回路とを備えたモニタ装置において、
前記信号処理回路と電源制御回路に電源を供給する第１の電源回路と、
前記インバータ回路に電源を供給する第４の電源回路と、
前記電源制御回路の電圧指令に基づいて、第４の電源回路が出力する電圧を制御する電圧制御回路とを設け、
第１の電源回路によって駆動された前記電源制御回路は、所定時間経過後にバックライト点灯電圧指令値を電圧制御回路に出力して、第４の電源回路がバックライト点灯電圧をインバータ回路に出力するように制御させ、
前記バックライト点灯電圧指令値を出力してから一定時間経過後に、バックライト点灯電圧値より低いバックライト点灯維持電圧指令値を電圧制御回路に出力して、第４の電源回路がバックライト維持電圧をインバータ回路に出力させるように制御させ、
前記バックライト維持電圧指令値を出力してから一定時間後に、表示装置の駆動回路の駆動を開始させる第２の電源回路と表示装置の駆動を開始させる第３の電源回路に、電圧出力指令を出力することを特徴とするモニタ装置。
【発明の詳細な説明】
【０００１】
【発明の属する技術分野】
本発明は管理人室や集合玄関を有する集合住宅におけるモニタ装置に係り、特に各部屋に設置されたモニタ装置の電源に関するものである。
【０００２】
【従来の技術】
図５は従来のモニタ装置を有するインターホンシステムの構成を示すブロック図、図６は同モニタ装置の構成を示すブロック図、図７は同モニタ装置の動作を示す突入電流の波形図である。
図５において、ＴＣは管理人室ＣＲに設けられた通話制御装置、ＶＣは管理人室ＣＲに設けられ、内部に電源供給回路ＰＳを有する映像制御装置、ＥＰはマンション等の集合住宅の集合玄関に設けられ、操作盤やインターホンを有する集合玄関機、ＣＭは集合玄関機ＥＰに設けられたカメラ、ＶＡ１〜ＶＡｎは映像アダプタ、Ｊ１〜Ｊｎは集合住宅の複数の部屋Ｒ１〜Ｒｎにそれぞれ設けられたインターホンを備えた住宅情報盤、Ｍ１〜Ｍｎは集合住宅の複数の部屋Ｒ１〜Ｒｎにそれぞれ設けられたモニタ装置である。
また、Ｌ１は通話・制御線、Ｌ２は映像線、Ｌ３は制御線である。
【０００３】
この従来のモニタシステムは住宅情報盤Ｊ１・・Ｊｎと集合玄関機ＥＰとの間でモニタ機能を有する。
訪問者が例えば集合玄関機ＥＰの図示しないテンキーを操作して訪問すべき部屋番号例えば１０１を入力し、次に図示しない呼出スイッチを押すと、集合玄関機ＥＰから通話・制御線Ｌ１を介して通話制御装置ＴＣに住宅コードと呼出コードからなる呼出信号が送出される。通話制御装置ＴＣは集合玄関機ＥＰから呼出信号を受信すると、その呼出信号が通話・制御線Ｌ１を介して１０１号室の住宅情報盤Ｊ１に送出し、その後訪問者と１０１号室の居住者との間で通話が行われる。
【０００４】
このとき、集合玄関機ＥＰのカメラＣＭが訪問者を撮像し、カメラＣＭから映像線Ｌ２を介して映像制御装置ＶＣに映像信号が送出される。映像制御装置ＶＣはカメラＣＭから映像信号を受信すると、その映像信号と内蔵された電源供給回路ＰＳが出力する電源信号を重畳して各映像アダプタＶＡ１に送出している。そして、通話が行われている１０１号室の住宅情報盤Ｊ１からそれに対応する映像アダプタＶＡ１に制御線Ｌ３を介して制御信号が送られると、映像アダプタＶＡ１は対応するモニタ装置Ｍ１と映像線Ｌ２との回線を接続して映像信号と電源信号を１０１号室のモニタ装置Ｍ１に送出することにより、モニタ装置Ｍ１が起動してモニタ装置Ｍ１、即ち後述のＬＣＤ６に訪問者が映し出されることとなる。従って、１０１号室の居住者は訪問者との通話とモニタ装置Ｍ１の映像とで訪問者を確認することができる。
そして、集合玄関に入館用の自動ドアがある場合には、住宅情報盤Ｊ１の図示しない解錠スイッチを操作すると、通話・制御線Ｌ１を介して集合玄関機ＥＰの電気錠に解錠信号が送られ、自動ドアが開放される。
【０００５】
図６は各モニタ装置Ｍの構成を示し、１は映像アダプタＶＡからの重畳して送出された電源信号と映像信号を分離する信号分離回路、２Ａは信号分離回路１より分離して出力された電源信号に基づき電源を信号復調回路３と第１ＭＰＵ４に供給する第１電源回路、２Ｂは信号分離回路１より分離して出力された電源信号に基づき電源をＬＣＤ電源回路８とインバータ回路９に供給する第２電源回路である。信号復調回路３は画像の劣化を防止するために映像制御装置ＶＣから送出された変調された映像信号を復調し、第１ＭＰＵ４は信号復調回路３を駆動制御する。
また、ＬＣＤ駆動回路５は信号復調回路３の復調信号に基づきＬＣＤ（ Liquid Crystal Display ）６に映像を映出するものである。第２ＭＰＵ７はＬＣＤ駆動回路５を駆動制御する。８はＬＣＤ駆動回路５とＬＣＤ６に電源を供給するＬＣＤ電源回路、９はＬＣＤ画面の６のバックライト１０に交流電源を供給するインバータ回路である。
【０００６】
従来のモニタ装置Ｍは上記のように構成されており、映像制御装置ＶＣより映像アダプタＶＡを介して信号分離回路１に重畳された映像信号と電源信号が入力されると、信号分離回路１は映像信号と電源信号とを分離し、映像信号を信号復調回路３に出力し、電源信号を第１及び第２電源回路２Ａ、２Ｂに出力する。
電源信号を受けた第１電源回路２Ａは起動して立ち上がり、信号復調回路３と第１ＭＰＵ４を駆動させる。駆動した第１ＭＰＵ４は信号復調回路３に制御信号を出力し、制御信号を受けた信号復調回路３は復調した映像信号をＬＣＤ駆動回路５に出力する。
【０００７】
また、電源信号を受けた第２電源回路２Ｂも第１電源回路２Ａと同時に起動して立ち上がり、ＬＣＤ電源回路８とインバータ回路９に電源を供給し、ＬＣＤ電源回路８がＬＣＤ駆動回路５及び第２ＭＰＵ７を駆動させ、駆動した第２ＭＰＵ７はＬＣＤ駆動回路５に制御信号を出力し、制御信号を受けたＬＣＤ駆動回路５はＬＣＤ６に映像信号に基づく映像を映出させ、インバータ回路９はバックライト１０を直ぐに点灯させるようにしている。
【０００８】
【発明が解決しようとする課題】
上記のような従来のモニタ装置では、信号分離回路１からの電源信号を受けた第１電源回路２Ａと第２電源回路２Ｂが同時に立ち上がり、それぞれに接続されて消費電力が大きい信号復調回路３やＬＣＤ電源回路８やインバータ回路７等の各機器に電源を同時に供給するようにしているから、図７に示すように突入電流が大きくなり、装置全体の発熱量も多くなるという問題があった。
【０００９】
本発明は、このような問題点を解決するためになされたものであり、突入電流を小さくし、装置全体の発熱量も少ないモニタ装置を得ることを目的とする。
【００１０】
【課題を解決するための手段】
本発明に係るモニタ装置は、映像信号を処理する信号処理回路と、該信号処理回路からの映像信号に基づき映像を表示するＬＣＤと、該ＬＣＤのバックライトに交流電源を供給するインバータ回路とを備えたモニタ装置において、前記信号処理回路と電源制御回路に電源を供給する第１の電源回路と、ＬＣＤ駆動回路の駆動を開始させる第２の電源回路と、前記ＬＣＤの駆動を開始させる第３の電源回路と、前記インバータ回路に電源を供給する第４の電源回路と、前記電源制御回路の電圧指令に基づいて、第４の電源回路が出力する電圧を制御する電圧制御回路とを設け、前記第１の電源回路によって駆動された前記電源制御回路は、所定時間経過後にバックライト点灯電圧指令値を電圧制御回路に出力して、第４の電源回路がバックライト点灯電圧をインバータ回路に出力するように制御させ、前記バックライト電圧指令値を出力してから一定時間後に、前記第２の電源回路と前記第３の電源回路に、電圧出力指令を出力するようにしたものである。
【００１１】
また、もう１つの本発明に係るモニタ装置は、映像信号を処理する信号処理回路と、該信号処理回路からの映像信号に基づき映像を表示する表示装置と、該表示装置のバックライトに交流電源を供給するインバータ回路とを備えたモニタ装置において、前記信号処理回路と電源制御回路に電源を供給する第１の電源回路と、前記インバータ回路に電源を供給する第４の電源回路と、前記電源制御回路の電圧指令に基づいて、第４の電源回路が出力する電圧を制御する電圧制御回路とを設け、第１の電源回路によって駆動された前記電源制御回路は、所定時間経過後にバックライト点灯電圧指令値を電圧制御回路に出力して、第４の電源回路がバックライト点灯電圧をインバータ回路に出力するように制御させ、前記バックライト点灯電圧指令値を出力してから一定時間経過後に、バックライト点灯電圧値より低いバックライト点灯維持電圧指令値を電圧制御回路に出力して、第４の電源回路がバックライト維持電圧をインバータ回路に出力させるように制御させ、前記バックライト維持電圧指令値を出力してから一定時間後に、表示装置の駆動回路の駆動を開始させる第２の電源回路と表示装置の駆動を開始させる第３の電源回路に、電圧出力指令を出力するようにしたものである。
【００１３】
【発明の実施の形態】
図１は本発明の実施形態に係るモニタ装置の構成を示すブロック図、図２は同モニタ装置の動作を示す波形図、図３は映像制御装置内の電源供給回路のブロック図、図４は同電源供給装置の動作を示す波形図である。
図１において、１は映像アダプタＶＡからの重畳して送出された電源信号と映像信号を分離する信号分離回路、２Ａは信号分離回路１より分離して出力された電源信号に基づき電源を信号処理回路としての信号復調回路３と電源制御回路であるＭＰＵ４に供給する第１電源回路、２Ｂは信号分離回路１より分離して出力された電源信号に基づき電源をＬＣＤ駆動回路５に供給する第２電源回路、２Ｃは信号分離回路１より分離して出力された電源信号に基づき電源をＬＣＤ６に供給する第３電源回路、２Ｄは信号分離回路１より分離して出力された電源信号に基づき電源をスイッチ手段１２を介してインバータ回路９に供給する第４電源回路である。
なお、第１〜第４電源回路２Ａ〜２Ｄはそれぞれ異なる電圧を発生する回路であり、また第２〜第４電源回路２Ｂ〜２Ｄが表示装置のための電源を供給する電源回路である。
【００１４】
信号復調回路３は画像の劣化を防止するために映像制御装置ＶＣから送出された変調された映像信号を復調し、ＭＰＵ４は信号復調回路３及びＬＣＤ駆動回路５を駆動制御すると共に第２電源回路２Ｂ、第３電源回路２Ｃ、電圧制御回路１１及びスイッチ手段１２を駆動制御する。
また、ＬＣＤ駆動回路５は信号復調回路３の復調信号に基づき表示装置であるＬＣＤ（ Liquid Crystal Display ）６に映像を映出するものである。
さらに、電圧制御回路１１はＭＰＵ４の電圧指令に基づいて第４電源回路２Ｄが出力する電圧を制御する。スイッチ手段１２はＭＰＵ４からのオン・オフ指令に基づいて第４電源回路２Ｄから供給された電圧をインバータ回路９に供給したり、供給を停止したり切り換えるためのものである。
【００１５】
図３は映像制御装置ＶＣ内の電源供給回路ＰＳの構成を示している。
２１は電源供給回路ＰＳにおける交流電源の交流を直流に変換して出力する直流電源回路、２２は直流電源回路２１から出力された直流電流の定常許容電流以上の過電流を検出して出力する過電流検出器、２３は過電流検出器２２から出力された直流電流を電流制限回路２４に供給したり、供給を停止したりするスイッチで、常時はオンしているものである。電流制限回路２４は過電流検出器２２からの直流電流で所定制限値以上の過電流を抑制して制限値を出力する。
２５は過電流検出器２２からの過電流検出信号を受けて起動し、規定時間に達するとスイッチ２３をオフし、規定時間の間に過電流検出信号が消失した場合はリセットして通常状態に戻る第１タイマ、２６は第１タイマ２５が規定時間に達したときに起動してスイッチ２３をオフし、それから規定時間に達するとスイッチ２３をオンにして通常状態に戻る第２タイマである。
【００１６】
次に、本発明の実施の形態１のモニタ装置の動作について説明する。
住宅情報盤Ｊから対応する映像アダプタＶＡに制御信号が送られると、映像アダプタＶＡは対応するモニタ装置Ｍと映像線Ｌ２との回線を接続し、映像信号と電源信号がモニタ装置Ｍに送られる。
映像制御装置ＶＣより映像アダプタＶＡを介して重畳された映像信号と電源信号がモニタ装置Ｍの信号分離回路１に入力されると、信号分離回路１は映像信号と電源信号を分離し、映像信号を信号復調回路３に出力し、電源信号を第１から第４電源回路２Ａ〜２Ｄに出力する。
電源信号を受けた第１電源回路２Ａは起動して立ち上がり、信号復調回路３とＭＰＵ４を駆動させる。従って、信号復調回路３とＭＰＵ４の駆動により、図２のイに示すように第１段の突入電流が発生する。
【００１７】
駆動したＭＰＵ４は信号復調回路３とＬＣＤ駆動回路５に制御信号を出力し、それから例えば０．９秒の所定時間経過後にバックライト点灯電圧指令値を電圧制御回路１１に出力すると共にスイッチオン信号をスイッチ手段１２に出力する。そして、ＭＰＵ４からの制御信号を受けた信号復調回路３は復調した映像信号をＬＣＤ駆動回路５に出力する。
次に、ＭＰＵ４からの所定電圧指令値であるバックライト点灯電圧指令値を受けた電圧制御回路１１は第４電源回路２Ｄがバックライト点灯電圧を出力するよう制御し、第４電源回路２Ｄはバックライト点灯電圧をスイッチ手段１２を介してインバータ回路９に出力し、インバータ回路９はバックライト１０を点灯させる。従って、次にインバータ回路９の駆動により、図２のロに示すように第２段の突入電流が発生する。
【００１８】
さらに、ＭＰＵ４はバックライト１０を点灯させるバックライト点灯電圧指令値を出力してから例えば１００ｍsec の一定時間経過後にバックライト点灯電圧値より低いバックライト点灯維持電圧指令値を電圧制御回路１１に出力し、電圧制御回路１１は第４電源回路２Ｄがバックライト１０の点灯を維持する所定電圧を出力するよう制御し、第４電源回路２Ｄはバックライト点灯維持電圧をスイッチ手段１２を介してインバータ回路９に出力し、インバータ回路９はバックライト１０の点灯を維持する。
【００１９】
そして、ＭＰＵ４がバックライト点灯維持電圧指令値を電圧制御回路１１に出力してから、例えば８０ｍsec の一定時間後に電圧出力指令を第２電源回路２Ｂと第３電源回路２Ｃに出力し、第２電源回路２ＢはＬＣＤ駆動回路５の駆動を開始させ、第３電源回路２ＣはＬＣＤ６の駆動を開始させる。従って、ＬＣＤ駆動回路５とＬＣＤ６の駆動により、図２のハに示すように第３段の突入電流が発生する。
そして、信号復調回路３、ＬＣＤ駆動回路５及びＬＣＤ６が駆動を開始してバックライト１０が点灯して始めてＬＣＤ６に映像信号に基づいた映像が映出される。
【００２０】
このように、本発明の実施の形態のモニタ装置Ｍでは、映像制御装置ＶＣより信号分離回路１に重畳された映像信号と電源信号が入力された場合に、信号分離回路１は映像信号と電源信号を分離し、映像信号を信号復調回路３に出力し、電源信号を第１〜第４電源回路２Ａ〜２Ｄに出力するが、第１電源回路２Ａから電源の供給を受けたＭＰＵ４の電圧出力指令により、まず第１電源回路２Ａが信号復調回路３を駆動させ、次にそれから所定時間経過後に第４電源回路２Ｄがインバータ回路９を駆動させ、さらに第２電源回路２ＢがＬＣＤ駆動回路５を駆動させると共に第３電源回路２ＣがＬＣＤ６を駆動させるようにしたから、全体の起動時間は延びるとしても分散して小さい突入電流値及び短い突入時間しか発生せず、発熱も小さく抑えることができるため、第１〜第４電源回路２Ａ〜２Ｄや信号復調回路、ＬＣＤ駆動回路５、ＬＣＤ６及びインバータ回路１０について許容損失の小さな部品で構成することができる。
従って、従来と同じ容量の電源供給回路ＰＳを使っても大きな負荷としての信号復調回路３、ＬＣＤ駆動回路５、ＬＣＤ６、インバータ回路９等を駆動することができる。
【００２１】
また、ＭＰＵ４が電圧制御回路１１に出力する電圧出力指令は当初の一定時間のバックライト１０を点灯させるバックライト点灯電圧指令値と、一定時間経過後に出力される当該バックライト点灯電圧値より低いバックライト点灯維持電圧指令値とからなるから、その電圧出力指令を受けた第４電源回路２Ｄは当初の一定期間はバックライト点灯電圧をインバータ回路９に出力し、一定時間経過後に当該バックライト点灯電圧より低いバックライト点灯維持電圧をインバータ回路９に出力し、インバータ回路９はバックライト１０をバックライト点灯電圧で点灯させ、点灯後はそれより低いバックライト点灯維持電圧で点灯を維持するため、消費電力を節約することができる。
【００２２】
さらに、映像制御装置ＶＣ内の電源供給回路ＰＳの動作について図３に基づいて説明する。
上述したように、モニタ装置Ｍに重畳した映像信号と電源信号が供給され、信号復調回路３やＬＣＤ駆動回路５等が駆動を開始するときに突入電流が発生するが、それに伴い電源を供給する映像制御装置ＶＣの電源供給回路ＰＳの直流電源回路２１の出力にも過電流が発生する。ここで、過電流とは定常許容電流を越えたものをいう（図４参照）。
【００２３】
その過電流の発生を過電流検出器２２が検出すると、第１タイマ２５が起動する。このときスイッチ２３はオンしているから過電流検出器２２が検出した過電流は電流制限回路２４に出力される。電流制限回路２４では所定制限値以上の過電流を抑制して制限値を出力し、その状態から図４のａに示すように第１タイマ２５が規定時間に達しないうちに過電流が消失した場合には第１タイマ２５はリセットされて通常状態に戻る。このとき、スイッチ２３はオンのままとなる。
また、電流制限回路２４が制限値を出力している状態で第１タイマ２５が例えば３０ｍｓの規定時間に達すると図４のｂに示すようにスイッチ２３をオフにする。
そして、第１タイマ２５が規定時間に達してスイッチ２３をオフにしたとき、それと同時に第２タイマ２６が起動し、第１タイマ２５をリセットすると共にスイッチ２３のオフ状態を維持し、第２タイマ２６が例えば２秒間の規定時間に達するとスイッチ２３をオンし、通電状態に戻る。
【００２４】
従って、この映像制御装置ＶＣの電源供給回路ＰＳはモニタ装置Ｍで突入電流が発生した場合に、出力する過電流を所定の制限値以上に抑えて出力し、しかもそれが所定の規定時間以上続くときにはモニタ装置Ｍに供給しないようにしたもので、モニタ装置Ｍ及び電源供給回路ＰＳが必要以上に発熱しないようにして安全を図っている。
また、本発明の実施の形態のモニタ装置Ｍは突入電流が分散されて小さいために、制限値を越える過電流が長時間持続することがないが、万一モニタ装置Ｍの故障により大きな突入電流が生じ、それに伴い制限値を越える過電流が発生してもその過電流は電流制限回路２４でカットされてモニタ装置Ｍに供給され、かつ長時間持続する場合は電源供給をオフするから安全である。
なお、第１〜第４電源回路２Ａ〜２Ｄは、それぞれ異なる電圧を発生するとしたが、それぞれ電圧を供給する回路に最適な電圧を出力できればよく、一部の電源回路同じ電圧を発生するようにしてもよい。
【００２５】
なお、本実施の形態においては、第１電源回路が起動してから、第２電源回路を起動させるようにしたが、複数の電源回路が時間をずらして起動するのであれば、その順番は逆であってもよい。また、第２、第３電源回路も時間をずらして起動させるようにしてもよい。
【００２６】
【発明の効果】
以上のように本発明によれば、信号分離回路は外部から信号分離回路に重畳された映像信号と電源信号が入力されると、映像信号と電源信号を分離し、映像信号を信号処理回路に出力し、電源信号を第１〜第４電源回路に出力するが、第１の電源回路によって駆動された電源制御回路は、所定時間経過後にバックライト点灯電圧指令値を電圧制御回路に出力して、第４の電源回路がバックライト点灯電圧をインバータ回路に出力するように制御させ、バックライト電圧指令値を出力してから一定時間後に、第２の電源回路と第３の電源回路に、電圧出力指令を出力するようにしたので、全体の起動時間は延びるとしてもこれら各機器の駆動に伴う分散した小さい突入電流を発生させることができ、発熱も小さく抑えることができるため、第１〜第４電源回路や信号処理回路、ＬＣＤ駆動回路、ＬＣＤ及びインバータ回路について許容損失の小さな部品で構成することができることとなり、従来と同じ容量の電源供給回路ＰＳを使っても大きな負荷としての信号処理回路、ＬＣＤ駆動回路、ＬＣＤ、インバータ回路などを駆動することができるという効果がある。
【００２７】
また、もう１つの本発明によれば、第１の電源回路によって駆動された電源制御回路は、所定時間経過後にバックライト点灯電圧指令値を電圧制御回路に出力して、第４の電源回路がバックライト点灯電圧をインバータ回路に出力するように制御させ、バックライト点灯電圧指令値を出力してから一定時間経過後に、バックライト点灯電圧値より低いバックライト点灯維持電圧指令値を電圧制御回路に出力して、第４の電源回路がバックライト維持電圧をインバータ回路に出力させるように制御させ、バックライト維持電圧指令値を出力してから一定時間後に、表示装置の駆動回路の駆動を開始させる第２の電源回路と表示装置の駆動を開始させる第３の電源回路に、電圧出力指令を出力するようにしたので、インバータ回路はバックライトをバックライト点灯電圧で点灯させ、点灯後はバックライト点灯維持電圧で点灯を維持するため、諸費電力を節約することができるという効果がある。
【図面の簡単な説明】
【図１】本発明の実施の形態に係るモニタ装置の構成を示すブロック図である。
【図２】同モニタ装置の動作を示す波形図である。
【図３】映像制御装置内の電源供給回路のブロック図である。
【図４】同電源供給装置の動作を示す波形図である。
【図５】従来のモニタ装置を有するモニタシステムの構成を示すブロック図である。
【図６】同モニタ装置の構成を示すブロック図
【図７】同モニタ装置の動作を示す突入電流の波形図である。
【符号の説明】
１    信号分離回路
２Ａ    第１電源回路
２Ｂ    第２電源回路
２Ｃ    第３電源回路
３    信号復調回路
４    ＭＰＵ（電源制御回路）
５    ＬＣＤ駆動回路
６    ＬＣＤ画面
９    インバータ回路
１０    バックライト
１１    電圧制御回路
１２    スイッチ手段
Ｍ    モニタ装置
【図１】
0003757353.tif 000002
【図２】
0003757353.tif 000003
【図３】
0003757353.tif 000004
【図４】
0003757353.tif 000005
【図５】
0003757353.tif 000006
【図６】
0003757353.tif 000007
【図７】
0003757353.tif 000008